(57)【要約】  中空の管構造及び布製のシート、並びに付属品を有する折り畳み椅子であって、付属品は、当該椅子を、ハンドル／ジョイスティック及びペダルによって制御されるテレビゲームに用いることを可能にし、付属品は、まさに椅子の構造に固着されることを特徴とする、折り畳み椅子。アセンブリは、その付属品の全てが取着されている状態で折り畳むことができる。【選択図】図２
2014502196.tif 000002
【特許請求の範囲】
【請求項１】
布製のシートを有するハサミ型の折り畳み椅子であって、前記ハサミ型の折り畳み椅子を用いて、ハンドル／ジョイスティック及びフットペダルによって制御されるテレビゲームをプレイすることを可能にする付属品を有し、堅固な支持を提供するとともに簡単な分解及び保管を可能にする、ハサミ型の折り畳み椅子において、前記椅子自体の構造が、前記付属品によって前記ハンドル／ジョイスティック及びフットペダル部材を受け入れ、必須ではないがサブストラクチャがそのアセンブリと一体的であることを特徴とする、ハサミ型の折り畳み椅子。
【請求項２】
前記ハンドル／ジョイスティックを保持する保持部材が前記椅子の構造に着脱され、ユーザが、Ｆ１ドライバーが車両に乗り降りするときに行う動作と同様の動作で快適に着座／起き上がることを可能にする、請求項１に記載の折り畳み椅子。
【請求項３】
前記ハンドル／ジョイスティックを保持する保持部材が、ユーザに対する角度を変えるように回転することができる、請求項１に記載の折り畳み椅子。
【請求項４】
前記構造の部材間の角度を変えて、アームレストの長さを変更し、したがってユーザの姿勢を変えることができる、請求項１に記載の折り畳み椅子。
【請求項５】
下側アーチ（２）を、より良い保管のためにその保持部材（３．８）から取り外すことができるか又はその保持部材（３．８）の回りで回転させることができる、請求項１に記載の折り畳み椅子。
【請求項６】
下側アーチ（２）が、前記フットペダルと前記椅子との間の距離を調節することができるように伸縮可能なロッド（２．２）を有する、請求項１に記載の折り畳み椅子。
【請求項７】
前記ハンドル／ジョイスティック及びフットペダルが固定されている場合であっても、全てのその付属品が組み付けられている状態で折り畳むことができる、請求項１に記載の折り畳み椅子。
【発明の詳細な説明】
【技術分野】
【０００１】
本発明は、ゲーム用のシート、特に、ハンドル／ジョイスティック及びフットペダルによって制御されるシミュレーションゲーム用に設計されているシートに関する。
【背景技術】
【０００２】
ハンドル／ジョイスティック及びフットペダルとともに用いられる既存のシートは、様々な部材（シート、ハンドル／ジョイスティック、フットペダル）が金属部材によって固着されるサブストラクチャから構成されている。したがって、シートは、サブストラクチャ（通常は金属）によって取り付けられる部材のアセンブリであり、サブストラクチャがそれらの部材を適所に保つ。
【０００３】
これらのアセンブリは、組み立てられるとかなりのスペースを占め、分解及び保管が困難であり、非常に高価である傾向があり、したがって非常に僅かな人々にしか入手されない。
【発明の概要】
【発明が解決しようとする課題】
【０００４】
本発明は、既存のシートに影響を及ぼしているスペース及び保管の問題を解決しようとするものであり、また、シートを運搬してどこででも使用することができるように迅速かつ簡単な組み立て−分解を可能にしようとするものである。
【０００５】
本発明は、既存のシートよりも簡単な設計を用いることによって製造コストを低減する。
【課題を解決するための手段】
【０００６】
本発明は、ハサミ型の構造を有する布製の椅子であって、この椅子を折り畳むことを可能にする中空の金属管をベースとし、椅子の構造と一体的になる、椅子の構造に直接的に取り付けることができる２つの金属の付属品が加えられる、布製の椅子に関する。これらの付属品は、椅子を従来のデッキチェアとして使用することができるように取り外すこともできる。
【０００７】
付属品：（１）椅子の構造の内部に挿入することが可能である、椅子の構造よりも小さい直径を有する取り外し可能な金属アーチであって、ハンドル又はジョイスティック部材が固定される角度を調整することができる水平なプラットフォームを有する、取り外し可能な金属アーチ。（２）フットペダル部材を保持してフットペダル部材が摺動又は移動することを防止するクランプを有する取り外し可能な金属アーチ。
【発明の効果】
【０００８】
付属品１及び２は容易に取り外すことができるため、椅子をデッキチェア型の家具として用いることができる。
アセンブリを折り畳んで、僅かなスペースしか占めることなく保管することができる。
アセンブリの構造は椅子の構造と同じであるため、部材の数、したがってアセンブリの価格が低減される。
布製のシートが用いられるため、重量及び体積が低減され、運搬が容易になる。
椅子は、ハンドル／ジョイスティック及びフットペダルが固定されている場合であっても、その付属品が組み付けられている状態で折り畳むことができる。
【図面の簡単な説明】
【０００９】
【図１】アセンブリを構成する部材：上側アーチ１、下側アーチ２及び椅子３を示す図である。
【図２】それらの使用位置にある、組み立てられた部材を示す図である。
【図３】折り畳まれたアセンブリを示す図である。
【図４】ハンドル及びフットペダルの使用例を示す図である。
【図５】ハンドル及びフットペダルが全て折り畳まれている状態の使用例を示す図である。
【発明を実施するための形態】
【００１０】
上側アーチは、ハンドル／ジョイスティックを保持する保持部材として働き、椅子の構造に容易に着脱することができるため、ユーザは着座するか又は起き上がることができる（この動作は、Ｆ１ドライバーが自身の車両に乗り降りするときに行う動作と同様である）。上側アーチは、椅子の構造の内部に挿入されることができるように、椅子の構造よりも小さい直径を有する管から作られる。
【００１１】
下側アーチの機能は、フットペダルをユーザにとって快適な位置に保持するとともに、フットペダルが動かないことを確実にすることである。この部材は、フットペダルの横移動を防止する台形形状を有する。フットペダルの取り付けは、フットペダルの形状に適合しているクランプ２．２によってなされる。この部材は、湾曲している金属管から作られ、椅子の構造に溶接される中空のブシュによって椅子の構造に固定される。
【００１２】
椅子３は、中空の金属管から作られるハサミ型の構造を有する椅子であり、金属ピン３．３によって関節接合されている２つの屈曲した金属管３．１及び３．２からなる。この構造は、アームレストの機能を果たす２つの布ストラップ３．４によって適所に固定される。これらのストラップは、そのような目的で金属管の構造に作られる孔に収容される金属リング３．５によって金属管３．１及び３．２の構造に取り付けられる。ストラップ３．４の長さは、椅子が開く角度、したがってユーザの姿勢を変えることができるように調整することができる。固着システムが、上側アーチ１が堅固に固定されるように収容される開口３．６内に配置されている。シートは、ピンと張るとともにユーザの形状に適合するように金属構造を囲んで縫い付けられる布３．７から作られる。下側アーチ２が固定される中空のブシュ３．８が金属管３．１に溶接されている。
【００１３】
上側アーチ１は、湾曲している金属管をベースとするアーチ１．１、及び金属締結具１．３によってアーチに取り付けられる平坦な面１．２から構成され、金属締結具は、金属アーチに対する角度を変更すること及び角度を所望の地点に固定することを可能にする。この平坦な面は、ハンドル／ジョイスティックを支持する支持平面として働き、ハンドル／ジョイスティックは、この平坦な面に、ねじによって、又はハンドル／ジョイスティック自体の機構によって固定される。
【００１４】
下側アーチ２は、湾曲している金属管をベースとする伸縮可能なアーチ２．１、及びフットペダルの形状に適合するクランプ２．２から構成される。
【００１５】
この部材は、椅子３の金属構造に溶接されている中空のブシュ３．８内に受け入れられる。
【図１】
2014502196.tif 000003
【図２】
2014502196.tif 000004
【図３】
2014502196.tif 000005
【図４】
2014502196.tif 000006
【国際調査報告】
2014502196.tif 000007
2014502196.tif 000008
2014502196.tif 000009
2014502196.tif 000010
2014502196.tif 000011
2014502196.tif 000012
2014502196.tif 000013
2014502196.tif 000014